(57)【要約】【課題】限られた狭い場所で、行動の妨げと美観を損なうことのないゴミ入れ容器を兼ねたコンパクトな掃き入れ掃除具、そして掃き入れとゴミ入れ容器への投棄の際、ゴミ分別作業をも可能にし、更には自動車の座席部や卓上部に肩掛け吊り設置をも可能にする。【解決手段】前部を除く外周部を上方に突出させたチリトリの後部壁を削除開放したチリトリ本体を設け、その両側壁外面に、筒軸に平行なスリット付き筒体を左右対称に設け、該筒体の所定の位置に回動軸を設け、該回動軸を中心として回動するＵ字状押さえ具を取り付け、更に両側壁に橋渡しにＵ字形取っ手を、底板上面から少なくとも垂直位置を越える角度まで変化させることができるようにして設け、前記Ｕ字形取っ手に上蓋状の堰止め板を、取っ手と連動して開閉するように設けたチリトリ。  また、前記取っ手に短筒体を設け、該短筒体に嵌合する柱体やフックを柄の一部に設けた、両側壁の内側に収納できるホーキを組み合わせた掃除具。【選択図】図３
2006341058.tif 000002
【特許請求の範囲】
【請求項１】
底板上面の前方をチリ掃き入れ口とする受け皿部として、前部を除く外周部を上方に突出させたチリトリにおいて、後部壁を削除開放したチリトリ本体を設け、該チリトリ本体の両側壁外面の中央付近に、筒軸に平行なスリット付き筒体を、チリトリ本体の軸に左右対称に、それぞれのスリットを外側に向けて一体または別体として設け、該スリット付き筒体の上または下の所定の位置に回動軸を設け、該回動軸を中心として、前記スリット付き筒体を横から包み込むように回動できるようにしてＵ字状押さえ具を取り付け、更に前記チリトリ本体の両側壁の中央付近に、橋渡しにＵ字形取っ手を、底板上面から少なくとも垂直位置を越える角度まで変化させることができるようにして設けたことを特徴とするチリトリ。
【請求項２】
前記チリトリに設けたＵ字形取っ手の下部両端を橋渡しするように、チリトリ本体の底板に対向して上蓋状の堰止め板を、取っ手と連動して開閉するように設けたことを特徴とする請求項１記載のチリトリ。
【請求項３】
前記請求項１または請求項２記載のチリトリに取り付けたＵ字形取っ手の上部内側に下部にスリットを有する短筒体を設けたチリトリ本体と当該筒体に嵌合する柱体を柄の一部に設けた、大きくてもチリトリ本体の両側壁の内側に収納できる幅のホーキを組み合わせたことを特徴とする掃除具。
【請求項４】
前記請求項１または請求項２記載のチリトリに取り付けたＵ字形取っ手の上部内側に下部にスリットを有する短筒体を設けたチリトリ本体と該筒体に嵌合する柱体を柄の一部に設け、併せて柄の上部には、屈曲できる帯板付きフックを設けた、大きくてもチリトリ本体の両側壁内に収納できる幅のホーキを組み合わせたことを特徴とする請求項３記載の掃除具。
【発明の詳細な説明】
【技術分野】
【００１】  本発明は、自動車の室内や事務所内の机や作業台周辺の狭い場所等、限られた場所で行動の妨げと美観を損なうことなく、円滑な清掃作業とゴミ容器の吊り下げ設置を可能にした、チリトリ・ホーキの掃除用具に関するものである。
【背景技術】
【００２】  自動車内や事務所の机、作業台などの近傍では、ゴミ処理頻度が高いためゴミ箱を設置されることが多いが、これが足元を占拠し非常に邪魔な存在でもある。併せて従来のチリトリやホーキまでを手近に置こうとするならば、乱雑な物置場に化してしまい、結局元の奥片隅に戻すことになるのが多くの実態である。また、掃除具の置き場所問題の解消を狙った、チリトリとホーキを大幅に小型一体化したものもあるが、このチリトリは、掃き入れスペースが小さ過ぎて実用の範囲が狭く、且つゴミ入れ容器の装着機能が無いため、これも別のゴミ箱を設置しなければならない。【００３】  また、前方を開口部とした箱型のチリトリの背面部を開閉可能とし、ゴミ入れ袋を装着して、掃き入れたゴミをそのまま装着されたゴミ入れ袋に流入させ、別のゴミ箱等を不要にしたもの（例えば、特許文献１および特許文献２参照。）もあるが、これらは、戸外における大量なゴミの掃き入れ投棄作業の円滑さを狙ったもので、立ち作業が前提のためチリトリの取っ手は長く、チリトリ本体の掃き入れ口から大きくせり出している。また、掃き入れたゴミの排出する開口部に開閉式の蓋が設けてあり、これもせり出していて嵩張るという問題がある。また、皿状のチリトリの縁に一体的に柄を付けたチリトリの底部に透孔を設けて開放して、この透孔を覆うようにゴミ入れ袋を取り付けたもの（例えば、特許文献３および特許文献４参照。）等比較的小型のものもあるが、これらはゴミ袋の開口面積が狭くなったり、使用時には屈んだ姿勢となったりして、ゴミを横から掃き入れる作業がやり難いという問題がある。【００４】  更にいずれの場合でもホーキについては、付帯機能が無い。前述の従来の物は、その形態からして、小型一体化が困難な構成で、自動車や限られた狭い場所での掃き入れ作業や身近に設置する掃除具としては不向きなものである。また、ゴミ袋の装着方法に於いても、チリトリ本体を筒型の形態とし、止め具を周囲４面に配置して、ゴミ袋を保持するとしているが、開示物件で示されている止め具だけでは、ゴミ袋の開口部とチリトリの外周との円周長の差によって生じるゴミ袋の余りしわを確実に吸収できない欠点がある。この余りしわを目立たなくしようとして、上からゴム輪などを用いて押さえ付けることを必要としており煩雑さと美観を損なうものとなっている。併せて、ゴミ袋を装着しない時は、従来のチリトリと同じように使用出来ることも特徴としているが、その際いちいちゴミ袋を外して、開閉蓋を閉めなければならないなど、切り替える手間が発生し煩わしさを痛感するものである。【００５】  以上述べたように、色々公開されてはいるが、それぞれ問題や欠点があって、未だ十分に実用化されていない。
特に自動車内など狭く限られた場所にチリトリとホーキを完備した掃除具として、コンパクトに纏まって備えることができるものを強く要望されていた。
【参考文献】
【特許文献１】  特開２００４−１７４０６９
【特許文献２】  特開２００４−１７４１８５
【特許文献３】  特開２００４−３２９６１７
【特許文献４】  特開２００４−１６７１８０
【発明の開示】
【発明が解決しようとする課題】
【００６】  本発明は前述の背景を基に、それぞれの欠点を排除し、問題点を解決したもので、自動車や事務机、作業台周辺の限られた狭い場所で、行動の妨げと美観を損なうことのないゴミ入れ容器を兼ねた構造のコンパクトな掃き入れ掃除具、そして掃き入れとゴミ入れ容器への投棄の際、ゴミ分別作業をも可能にした掃除具でもある、更には自動車の座席部や卓上部に肩掛け吊り設置をも可能にする掃除具を提供することである。
【課題を解決するための手段】
【００７】  上記課題を解決するために、底板上面の前方をチリ掃き入れ口とする受け皿部として、前部を除く外周部を上方に突出させたチリトリにおいて、後部壁を削除開放したチリトリ本体を設け、該チリトリ本体の両側壁外面の中央付近に、筒軸に平行なスリット付き筒体を、チリトリ本体の軸に左右対称に、それぞれのスリットを外側に向けて一体または別体として設け、該スリット付き筒体の上または下の所定の位置に回動軸を設け、該回動軸を中心として、前記スリット付き筒体を横から包み込むように回動できるようにしてＵ字状押さえ具を取り付け、更に前記チリトリ本体の両側壁の中央付近に、橋渡しにＵ字形取っ手を、底板上面から少なくとも垂直位置を越える角度まで変化させることができるようにして設けたチリトリである。【００８】  また、前記チリトリに設けたＵ字形取っ手の下部両端を橋渡しするように、チリトリ本体の底板に対向して上蓋状の堰止め板を、取っ手と連動して開閉するように設けたチリトリ。【００９】  また、前記Ｕ字形取っ手の上部内側に、下部にスリットを有する短筒体を設けたチリトリ本体と当該短筒体に嵌合する柱体を柄の一部に設けた、大きくてもチリトリ本体の両側壁の内側に収納できる幅のホーキを組み合わせたことを特徴とする掃除具。【０１０】  更に、前記のチリトリに取り付けたＵ字形取っ手の上部内側に下部にスリットを有する短筒体を設けたチリトリ本体と当該筒体に嵌合する柱体を柄の一部に設け、併せて柄の上部には、屈曲できる帯板付きフックを設けた、大きくてもチリトリ本体の両側壁の内側に収納できる幅のホーキを組み合わせたことである。【０１１】  上記各種の工夫と研究その結果、作業性を重視した中で、最大限の薄型と小型化を図ったチリトリを本体として、これにホーキとゴミ袋の３点を有機的に結合した一体化の掃除具を提供することで、課題を解決できる。
【発明の効果】
【０１２】  以上の説明で明らかなように本発明にあっては、次に列挙する効果を得られるものである。
１）チリトリの取っ手をチリトリ側壁の内側、中央部の奥まった位置に設けたことによって、外壁への突き出たものを無くしたことによって、大変コンパクトですっきりした外観にすることができたことに加え、チリトリ本体の両側壁外面の中央付近に、筒軸に平行なスリット付き筒体を、チリトリ本体の軸に左右対称に、それぞれのスリットを外側に向けて一体または別体として設けたことによって、装着するチリトリ本体の円筒外周長より大きい任意の大きさのゴミ袋開口部に発生する余りしわを吸収し、美観を損なうことなく容易に均一に装着できるので、掃いたゴミを漏らすこともなく、誰でも確実に、また快感をもって、手間無く利用することができる。
また、ゴミ袋を装着させた状態で、取っ手を底板に接触させるように、畳み込んだ状態で、立て形に保持させて使用すれば、投げ込みできるゴミ入れ（ゴミ箱）としても利用することができ便利である。【０１３】２）チリトリ本体の底板に対向して上蓋状の堰止め板を、取っ手と連動して開閉するようにして設けたことによって、掃き入れたゴミを一旦チリトリ受け皿部に停滞させ、ゴミの種類毎に用意したゴミ入れ容器に分別しながら投棄作業を可能にした。
また、取っ手を立てて堰止め板を、チリトリ本体の底板に接触させて、後壁開放部を閉じた状態で使用すれば、ゴミ袋の装着なしで、従来のチリトリと同等な使用にも利用することができる。【０１４】３）チリトリに取り付けたＵ字形取っ手の上部内側に下部にスリットを有する短筒体を設けたチリトリ本体と該短筒体に嵌合する柱体を柄の一部に設けた、大きくてもチリトリ本体の両側壁内に収納できる幅のホーキを組み合わせたことによって、チリトリ・ホーキ・ゴミ袋の３点を有機的に結合したコンパクトな本発明は、限られた狭い場所でも円滑な清掃作業と体裁良く保管できる掃除用具である。【０１５】４）上記３）の状態におけるホーキに、併せて柄の上部には、屈曲できる帯板付きフックを設けたことによって、本発明のチリトリとゴミ入れを兼ねた構造の掃除具を身近な周辺の壁掛けや車内におけるシート背もたれ部への肩掛け吊り設置を可能にすることができ、従来の足元に置かれた邪魔なゴミ箱を排除することができる。【０１６】  以上の多くの優れた効果を有する結果によって、さらに広い用途として、本掃除用具は、持ち運びし易い形態であり、犬の散歩時や地域の美化活動であるゴミ拾いの時などにも携行必需品と成り得る掃除用具である。
【発明を実施するための最良な形態】
【０１７】  以下、図面に基づいて本発明を詳細に説明する。
図１はゴミ袋をチリトリに装着した本発明の三面図で、上から（ａ）平面図（ｂ）正面図（ｃ）底面図である。
図１に示すように、底板上面の前方をチリ掃き入れ口とする受け皿部として、前部を除く外周部を上方に突出させたチリトリにおいて、後部壁を削除開放したチリトリ本体１を設け、該チリトリ本体１の両側壁外面の中央付近に、円筒の周囲壁に筒軸に平行に両端までスリットを入れて輪切りにした筒体である、本実施例では断面がＣ字状囲い輪３ａ、３ｂを、チリトリ本体１の軸に左右対称に、それぞれのスリットを外側に向けて取り付け、該Ｃ字状囲い輪３ａ、３ｂの上面からチリトリ本体１の側壁の上端間の略中央の位置にそれぞれ両外壁共対称に回動軸４ａ、４ｂを設け、該回動軸４ａ、４ｂを中心として、前記Ｃ字状囲い輪３ａ、３ｂを横から包み込むように回動できるようにしてＵ字状押さえ具５ａ、５ｂを取り付け、更に前記チリトリ本体１の両側壁の内側中央付近に、橋渡しにＵ字形取っ手７を、底板上面から少なくとも垂直位置を越える角度まで変化させることができるようにして、ヒンジ１０ａ、１０ｂ等を用いて取り付ける。
【０１８】  この場合、図１の（ｂ）で示すように、前記Ｃ字状囲い輪３ａ、３ｂは、円管を輪切りにした筒を筒軸に平行なスリットの両端を上下方向に拡開させると共に、筒の両端を上下方向からそれぞれ３０度〜４５度傾斜カットしておくと好ましい。
【０１９】  また、上記Ｕ字形取っ手７の倒立作動に影響しない位置のチリトリ本体１の両側壁に橋渡し状に上部カバー８を設けて、該上部カバー８の掃き入れ口縁中央に図１（ａ）に示すように、Ｙ字状溝２を設けておくと好ましい。そして、該Ｙ字状溝２のＹ字溝の下端部には、応力集中による亀裂防止用の小孔を開けておくと好ましい。このＹ字状溝２は図１（ａ）に示すように、ゴミ袋１７開口部の中点である袋結ひだ１８の一方を挟み込んで、装着作業をより円滑にすると共に、装着完成時の体裁をより良くする為のものである。
尚、上部カバー８は省略することは可能である。
また、より詳しい構成部品等については後に図４とともに述べる。
【０２０】  このように構成したことにより、チリトリ本体１の両側壁表側の中央付近に備えたＣ字状囲い輪３ａ、３ｂとそれに隣接されたＵ字状押さえ具５ａ、５ｂを用いてゴミ袋１７をチリトリ本体１に隙間なく確実に取り付け、保持することができ、且つ、容易に取り外すこともできる。
また、Ｃ字状囲い輪３ａ、３ｂの両端を上下方向からそれぞれ３０度〜４５度傾斜カットしておくと、Ｕ字状押さえ具５ａ、５ｂが中央湾曲部から弾性による挟口部が広がるように作用して、ゴミ袋１７の端を挟みながらＣ字状囲い輪３ａ、３ｂを横から包み込むように回動させるのに円滑に節度感よく作動することができる。
更に、上部カバー８を設けることによってゴミ袋の開口部の上部もＹ字状溝２に挟んで全周囲に渡り、チリトリ本体１に、より確実に装着固定することができる。
【０２１】  従って、本発明の使用方法としての、ゴミ袋１７の装着手順は、取っ手７を倒した状態で、チリトリ本体１にゴミ袋１７を後方から被せ、上部カバー８の中央に設けたＹ字状溝２に、ゴミ袋１７の袋結ひだ１８ａを挟むことで、袋の横幅中点を位置決めする。そしてゴミ袋１７の開口縁横の握り穴部を、握り部の無いものは、その近傍を掴んで、ゴミ袋１７の開口縁の余りしわを横方向に集めるように引っ張りＣ字状囲い輪３ａ、３ｂのスリットを経由して筒内を貫通させて下方に折り曲げる。その上からＵ字状押さえ具５ａ、５ｂを下方に回動させて包み込みながら押さえ込むことで、ゴミ袋１７の開口縁横の握り穴部またはその近傍をしっかりと確実に固定すると共に、チリトリ本体１の屋根の位置にある上部カバー８の表外面と裏底面に沿ってゴミ袋１７の開口縁を均一に密着した状態で装着が完了する。従って、ゴミ袋１７の底面は常に強く引っ張られた状態となるので、チリトリ本体１の底面側にある袋結ひだ１８ｂについては、特に係止を必要としない。
【０２２】  図２は、本発明の他の実施例である、前述の上部カバー８に代えて、取っ手７に堰止め板８Ａを設けた場合の構造を示す図であり、それぞれ（ａ）は平面図で（ｂ）は（ａ）のＸ−Ｘ断面図である。
上記堰止め板８Ａは、取っ手７を図２（ａ）で示すように倒した状態では、前述の上部カバー８と同等のものになって、図２（ｂ）の想像線で示すように起こした状態では、同図の想像線で示した堰き止め板８Ａになるように取り付け位置を関係付けた角度（本実施例では取って軸に対して約２０度後方の）方向に設定して、取っ手７の柄の両下端部を橋渡しするように一体的に固着したものである。
【０２３】  こうすることによって、取っ手７をチリトリ本体１の底面に対して略垂直方向に起こせば、堰止め板８Ａは自ずと衝立としてチリトリ１の排出口方向を堰止めする。また、取っ手７をチリトリ本体１の底面に近付けるようにして倒せば、チリトリ本体１の底面に対抗する天井方向に移動され排出口方向に開放された状態となる。従って、取っ手７を前後に動かし、倒立させることで、掃き入れたゴミ１９は、堰止め若しくは放出の切り替えが可能である。併せて、この堰止め板８Ａを有するチリトリ掃除具は、ゴミ袋１７の装着有無に関わらず従来のチリトリと同じように使用できる。
【０２４】  尚、チリトリ１の両側壁の上辺一部を扇状に内側に適当に曲げて、堰止め板８Ａの横肩部に突っ張るように設定すれば、適当な摩擦とカム機能と弾力作用で、取っ手７の前後に回動させて、任意の位置に停止させることを可能にしたり、チリトリ本体１の側壁と接触して動く堰止め板８Ａの外壁に突起部や該突起部の受け入れ孔等を設けて任意の位置に停止させることを可能とすることも考えられる。その結果、中間的な位置においては、細かなゴミはゴミ袋１７内に導き、空き缶等の大きなものは、堰き止めて、掃き入れしながら同時に、ゴミを容易に分別することができる。
【０２５】  図３は本発明を応用し、更に発展した他の実施例で、チリトリとホーキおよびゴミ袋の３点を組み合わせて、携行または設置や保管する場合に便利な掃除具の斜視図である。
図３で示すように、好ましくは片手のひらに乗る程度の小型なチリトリ本体１に取り付けたＵ字形取っ手７の上部内側に、下部にスリットを有する短筒体で成る、Ω字状筒９を設け、該Ω字状筒９に円滑に入出させて着脱できる嵌合柱１２をホーキ１１の一部に設けると共に、大きくてもチリトリ本体１の両側壁の内側に収納できる幅のホーキ１１を組み合わせた掃除具である。
尚、このΩ字状筒９はスリットを有しない単なる短筒体でもよいが、下部にスリットを有すること（Ω字状）によって、ホーキ１１を備えないで、チリトリだけをカギヒートンや各種の曲がった止め具等を引っ掛けする場合、より容易に装着可能となるものである。
【０２６】  また、上記嵌合柱１２を設けたホーキ１１の一部に図３の最上部に描かれている柄の上部には、ホーキフック補助板１４と該ホーキフック補助板１４内に収納される大きさの弾性を有する波板状の帯体で形成した屈曲板付きフック１５を取り付けておく。
こうすることによって、本発明の掃除用具を環状や棒状の固定場所だけでなく自動車座席のヘッドレストの支柱にも吊り下げることができる。（図５参照）
尚、ホーキフック補助板１４は図４で示すように、前記波板状の帯体で形成した屈曲板付きフック１５を収納できる幅のコの字形の溝を有すると共に、可動軸１３でホーキ１１の柄部に一致させて折り畳むことができる。
【０２７】  図４は、本案掃除用具の構成分解図であるが、構成部品は樹脂成形品から成り、チリトリ本体１は、掃き入れ受け皿の後方壁を削除して、両側壁表側の中央近くに、Ｃ字状囲い輪３ａ、３ｂと、その上または下の位置に隣接して、回動軸４ａ、４ｂを設けた形態である。この回動軸４ａ、４ｂを用いてＵ字状押さえ具５ａ、５ｂを回動可能な方法でタッピンネジ６ａ、６ｂ等で固定する。次に取っ手７はＵ字状に形成された柄であり、その両下端部にチリトリ本体１と固定するための作動軸１０ａ、１０ｂが設けられている。
そして、チリトリ本体１の両側壁を橋渡しするような上部カバー８または堰止め板８Ａを設け、更に取っ手７には上辺部にΩ状筒９を有する桟を設けた形態である。尚、上部カバー８または堰止め板８Ａの中点当りには、Ｙ字状溝２を備える。次にホーキ１１は、側面一方に嵌合柱１２を設け、反対面に可動軸１３を成形した形態である。この可動軸１３を用いて、ホーキフック補助板１４と屈曲板付きフック１５とを、トラスネジ１６等を用いて回動できる状態で一体化している。以上が本案の掃除用具の構造である。更に取っ手７の上方の桟に設けたΩ状筒９へホーキ１１の嵌合柱１２を填め込むことで、チリトリ１とホーキ１１を結合できる。以上チリトリ・ホーキ・ゴミ袋の３点を有機的に一体化した本案は、コンパクトで美観も良く、持ち運びが容易であり、または壁掛け設置にも適した掃除用具である。
【０２８】  図５は、本発明の掃除用具を自動車座席のヘッドレストの支柱に吊り下げた実例図であるが、ホーキ１１に取り付けられたホーキフック補助板１４を起こして、そこに収まっている屈曲板付きフック１５を外方向に反らせて、フック部を支柱に引っ掛けることで、肩掛けの設置が完了となる。尚、ホーキ１１だけを先に屈曲板付きフック１６でヘッドレストに吊り下げておき、ホーキ１１の嵌合柱１２と取っ手７に有するΩ字状筒９間で着脱する使用方法も可能である。
【０２９】  図６は、本案掃除用具で掃き入れ作業する際の実例の斜視図であるが、ホーキ１１のホーキの柄またはホーキフック補助板１４を持ってゴミ１９をチリトリ本体１に掃き入れた時、ゴミ１９は、衝立の位置となった堰止め板８Ａによりチリトリ本体１の受け皿部に一旦停滞する。このゴミ１９の種別にもとづきチリトリ本体１に装着されたゴミ袋１７内と同類のゴミ１９であれば、取っ手７を前倒しにして、チリトリ１を持ち上げることでゴミ袋１７内へ流入される。他の種類のゴミや空き缶等であれば、取っ手７を前倒しせず、そのまま持ち上げて別に用意された、ゴミ分類毎のゴミ入れ容器にチリトリ本体１の掃き入れ口側を傾けて投棄することで、手を汚さずにゴミを分別することが可能となる。
【図面の簡単な説明】
【０３０】
【図１】ゴミ袋をチリトリに装着した本発明の三面図で、上から（ａ）平面図、（ｂ）正面図（ｃ）底面図である。
【図２】本発明の取っ手に堰止め板を設けた場合の（ａ）平面図および、（ｂ）図（ａ）におけるＸ−Ｘ断面図である。
【図３】本発明のチリトリ・ホーキ・ゴミ袋の３点を組合した場合の斜視図である。
【図４】本発明の掃除用具の構成部品を示す分解図である。
【図５】本発明の掃除用具を自動車座席のヘッドレストの支柱に吊り下げた場合の用途実例を示す斜視図である。
【図６】本発明の使用方法を示す掃除用具で掃き入れ作業する際の説明図である。
【符号の説明】
【０３１】  １  チリトリ本体
２  Ｙ字状溝
３ａ  ３ｂ  Ｃ字状囲い輪
４ａ  ４ｂ  回動軸
５ａ  ５ｂ  Ｕ字状押さえ具
６ａ  ６ｂ  タッピンネジ
７  取っ手
８  上部カバー
８Ａ  堰止め板
９  Ω字状筒
１０ａ  １０ｂ  作動軸
１１  ホーキ
１２  嵌合柱
１３  可動軸
１４  ホーキフック補助板
１５  屈曲板付きフック
１６  トラスネジ
１７  ゴミ袋
１８ａ  １８ｂ  袋結ひだ
１９  ゴミ
【図１】
2006341058.tif 000003
【図２】
2006341058.tif 000004
【図３】
2006341058.tif 000005
【図４】
2006341058.tif 000006
【図５】
2006341058.tif 000007
【図６】
2006341058.tif 000008